(57)【要約】【課題】  カレンダー用紙の１面全体を捲らずに容易にカレンダー用紙の裏面に記載の情報を確認出来る捲り式カレンダーを提供する。【解決手段】  カレンダーの各月の表面に曜日表示欄と、曜日表示欄に対応する日付表示予定欄を備え、日付表示予定欄内の一部又は、全部を捲り可能な領域又は切取り可能な領域とし、前記領域の表面と前記領域の裏面で対応した情報を記載し前記領域を手前側に捲ることで、裏面に記載の情報を容易に確認できる。【選択図】  図１
2011178112.tif 000002
【特許請求の範囲】
【請求項１】
曜日表示欄に対応する日付表示予定欄を備え、前記日付表示予定欄には当月の日付数字を第１週より記載する月単位カレンダー用紙を複数枚重ねた状態を備えたカレンダーにおいて、ミシン目加工又はアンカット部と切込み加工により、前記各日付表示予定欄内の一部又は、全部に捲り可能な領域又は切取り可能な領域を有し、前記領域の表面と前記領域の裏面で対応した情報を記載できる事を特徴とした捲り式カレンダー。
【請求項２】
前記捲り可能領域又は前記切取り可能領域の縁は切り込み加工が施されており、縁の一部はミシン目加工又はアンカット部により繋がっていることを特徴とする請求項１記載の捲り式カレンダー。
【請求項３】
前記領域を備えた日付表示予定欄が少なくても１欄は備えられた請求項１又は請求項２記載の捲り式カレンダー。
【請求項４】
前記日付表示予定欄は第６週まで備えることを特徴とする請求項１又は請求項２又は請求項３記載の捲り式カレンダー。
【請求項５】
前記日付表示予定欄において日付が記載されない日付表示予定欄は、複数日付表示予定欄を結合し使用することも可能な請求項１又は請求項２又は請求項３又は請求項４記載の捲り式カレンダー。
【請求項６】
前記領域の裏面の情報は前記領域をカレンダー表面側に捲り上げた状態でも認識できるように前記用紙の表面の情報とは天地逆に記載したことを特徴とした請求項１又は請求項２又は請求項３又は請求項４又は請求項５記載の捲り式カレンダー。
【発明の詳細な説明】
【技術分野】
【０００１】
本発明は、捲り式カレンダーに関し、カレンダーの日付表示予定欄内の切込み加工により捲り可能領域又は切取り可能領域を有し、前記領域を捲る事により前記領域の裏面記載の情報を容易に確認する事ができるカレンダーに関するものである。
【背景技術】
【０００２】
従来のカレンダーはカレンダーを広告の媒体としても利用しており、特許文献１や特許文献２のようにカレンダーの表面と裏面の両面を使って広告や日付表示予定欄をクーポン券に利用する考案も存在している。（特許文献１、特許文献２参照。）
【０００３】
従来の月捲りカレンダーを日捲りカレンダー化したカレンダーでは、各日付を通過する毎に日付表示予定欄を取り除き、開口部から次の用紙又は、当月用紙に張り合わせた用紙に記載の日付や固有メッセージが現れるものだった。（特許文献３、特許文献４参照。）
【０００４】
しかし、特許文献１や特許文献２のように月の途中でも裏面情報を確認する際には、当月の１面全体を捲り上げて裏面の情報を見る必要があり、又情報が逆さまに記載され容易に見ることが出来なかった。（特許文献１、特許文献２参照。）
【０００５】
非特許文献１のようにカレンダー用紙の表面の日付表示予定欄に、日付数字、イラスト、問題などが記載され、カレンダー用紙裏面に、表面の問題の解答が表面の印刷とは天地逆に印刷され、捲り上げた状態で解答を確認できるカレンダーも存在している。
【０００６】
従来の月捲りカレンダーを日捲りカレンダー化したカレンダーや、カレンダー表面と裏面で広告の出来るカレンダー、日付表示予定欄がクーポン券のカレンダーなどでは、通過した日付表示予定欄や、クーポン券として切り取られた日付表示予定欄に記載の日付数字、情報、書き込んだメモ書きなどは切り取られてしまい、過去の日付や情報、メモ書きを確認するのに不向きであった。（特許文献１、特許文献２、特許文献３、特許文献４参照。）
【先行技術文献】
【特許文献】
【０００７】
【特許文献１】特開2008-68610
【特許文献２】特開平11-348452
【特許文献３】特許4228030
【特許文献４】特開2006-123369
【非特許文献】
【０００８】
【非特許文献１】「くもんなぜなぜカレンダー」  くもん出版  郵便番号102-8180  東京都千代田区五番町3-1五番町グランドビル3F  電話番号  03-3234-4001
【発明の概要】
【発明が解決しようとする課題】
【０００９】
カレンダーの月面の表面と裏面の両面で情報を記載した際、カレンダー月面の裏面に記載の情報を月の途中でもカレンダー利用者に容易に見てもらう事が課題である。
【００１０】
カレンダーの月面の表面の各日付表示予定欄に問題などが記載され、カレンダー月面の裏面に問題の解答の記載があるカレンダーの場合、解答を確認するにはカレンダー月面を捲り上げて確認する必要があるが、それでは、まだ解答を見たくない隣の欄に記載の別の問題の解答まで見えてしまう事があり、楽しみが半減してしまう。
【００１１】
従来の月捲りカレンダーを日捲りカレンダー化したカレンダーでは、通過した日付表示予定欄に記載の日付数字、メモ書き欄などは切り取られてしまい切り取った紙片を取り置きしなければ通過した日付表示予定欄記載の日付やメモ書きなどを確認する事が出来なかった。
【課題を解決するための手段】
【００１２】
曜日表示欄に対応する日付表示予定欄を備え、この日付表示予定欄には当月の日付数字を第１週より記載する月単位カレンダー用紙を複数枚重ねた状態を備えたカレンダーにおいて、ミシン目加工又はアンカット部と切込み加工によって前記日付表示予定欄内の一部又は、全部に捲り可能な領域又は切取り可能な領域を有し、前記領域の裏面に前記領域の表面と対応した情報を記載できる事を特徴とした捲り式カレンダー。
【００１３】
捲り可能領域又は切取り可能領域の縁に切込み加工が施されており、縁の一部はミシン目加工又はアンカット部により繋がっている捲り式カレンダー。
【００１４】
ミシン目加工又はアンカット部と切込み加工により捲り可能な領域又は切取り可能な領域を備えた日付表示予定欄が少なくても１欄は備えられた捲り式カレンダー。
【００１５】
日付表示予定欄は第６週まで備えることを特徴とする捲り式カレンダー。
【００１６】
日付表示予定欄において日付記載が無い日付表示予定欄は、複数の日付表示が無い日付表示予定欄を結合し使用することも可能な捲り式カレンダー。
【００１７】
捲り可能な領域又は切取り可能な領域の裏面に記載の情報はカレンダー表面側に捲り上げた状態で認識できるようにカレンダー月面の表面の情報とは天地逆に情報を印刷したことを特徴とした捲り式カレンダー。
【発明の効果】
【００１８】
この発明の捲り式カレンダーは日付表示予定欄内の一部又は、全部が捲り可能領域又は切取り可能領域であり、前記領域の裏面に前記領域の表面と対応した情報を記載し、前記領域を捲る事により容易に前記領域の裏面の情報を確認する事ができ、必要ならば、前記領域を切り取ることにより、クーポン券として利用もできる。
【００１９】
各日付表示予定欄にそれぞれに広告を掲載した場合、１つのカレンダーで多くの広告が可能となり、さらにはクーポン券にもなるので、広告掲載者にとっては、広告効果の高いカレンダーとなる。
【図面の簡単な説明】
【００２０】
【図１】３月の捲り式カレンダーの表面正面図である。
【図２】３月の捲り式カレンダーの裏面正面図である。
【図３】３月２日の日付表示欄の正面図である。
【図４】日付表示欄の使用例に関する図である。
【図５】日付表示欄の使用例に関する図である。
【図６】日付表示欄の使用例に関する図である。
【図７】日付表示欄の使用例に関する図である。
【図８】日付表示欄の使用例に関する図である。
【図９】日付表示欄の使用例に関する図である。
【図１０】捲り可能な領域又は切取り可能な領域を捲り始め時の斜視図である。
【図１１】捲り可能な領域又は切取り可能な領域を捲り上げ時の斜視図である。
【図１２】捲り可能な領域又は切取り可能な領域を切取り時の斜視図である。
【図１３】日付表示欄の具体的な使用例に関する図である。
【図１４】日付表示欄の具体的な使用例に関する図である。
【図１５】日付表示欄の具体的な使用例に関する図である。
【図１６】日付表示欄の具体的な使用例に関する図である。
【発明を実施するための形態】
【００２１】
この発明の実施の形態を添付図面に基づき詳細に説明する。図１は３月の捲り式カレンダーの表面正面図である。図２は３月の捲り式カレンダーの裏面正面図である。図３は３月２日の日付表示欄の正面図である。図４〜９は日付表示欄の使用例に関する図である。図１０〜１２は捲り可能な領域又は切り取り可能な領域の使用方法を説明する斜視図である。図１３〜１６は日付表示欄に具体的な情報を掲載して使用する一例を説明する図である。
【００２２】
図１を参照して、本発明の捲り式カレンダーの表面について説明する。なお、本実施形態の説明では、捲り可能な領域又は切取り可能な領域を「捲り可能領域」という。
捲り式カレンダー１は使用後の月のカレンダーも保管できるように、リング２などで綴じる方法が望ましい。また、捲り式カレンダー１は複数月単位、月単位、週単位、日単位表記でも良いが、今回は月単位で使用した場合の実施形態について説明する。
捲り式カレンダー１に記載の曜日表示欄３に対応させた７列の日付表示予定欄４を６週分の４２欄備え、この日付表示予定欄４に当月の日付数字５を第１週より記載する。日付数字５の記載がある日付表示欄４ａには捲り可能領域６があり、捲り可能領域６に表面情報７を記載する。
一方、日付数字５の記載が無い日付表示予定欄４は、スポンサー用の広告スペース８として利用できる。広告スペース８は日付数字５の記載が無い日付表示予定欄４を１欄で１口とする。広告の大きさに応じて、複数の日付数字５の記載が無い日付表示予定欄４を結合し、複数口での広告もできる複数日付表示予定欄結合広告スペース８ａとしても利用できる。
広告スペース８又は複数日付表示予定欄結合広告スペース８ａには、捲り可能領域６を必ず設ける必要は無いが、捲り可能領域６を設けた場合は、捲り可能領域有りの広告スペース８ｂとして利用でき、捲り可能領域有りの広告スペース８ｂの一部又は全部を捲り可能領域にすることができる。
【００２３】
図２を参照して、本発明の捲り式カレンダーの裏面を説明する。
捲り可能領域６の裏面には裏面情報９を記載できる。裏面情報９は表面情報７に対して天地逆に記載することにより、捲り可能領域５をカレンダー表側に捲り上げた時に、裏面情報９を容易に確認できる。
捲り可能領域有りの広告スペース８ｂの裏面にも裏面情報９を載せる事が出来る。
必要が無ければ、捲り可能領域６の裏面に裏面情報９を記載してもしなくても良い。
【００２４】
図３を参照して日付表示欄と捲り可能領域について説明する。
日付数字５の記載がある日付表示欄４ａは、日付数字５とメモ書きなどに使える余白スペース１０、ミシン目加工又はアンカット部１１と切込み１２によって囲まれた捲り可能領域６を備え、捲り可能領域６の表面に表面情報７を記載する。
【００２５】
図４〜９を参照して日付表示欄と捲り可能領域の一例について説明する。
図４に示すように余白スペース１０にメモ書き欄１３を設けても良い。
図５に示すように切込みの一部が繋がっていても良い。
図６に示すように捲り可能領域６は横に捲る仕様でも良いが、その際は、裏面情報９  は天地逆にせず、表面同様通常通り記載する。
図７に示すように、捲り可能領域６の形状はハート形などでもよく、如何なる形状でも良い。
図８に示すように表面情報７は捲り可能領域５だけでなく余白スペース１０にも記載しても良い。
図９に示すように捲り可能領域６は綴り用穴１４が開いており、捲り可能領域６を切取り後、リングで綴り単語暗記用カードなどの学習用道具としても活用できる。
【００２６】
図１０〜１２を参照して捲り可能領域について説明する。
捲り可能領域６をカレンダー表側に捲り上げる事により捲り可能領域６の裏面に記載の裏面情報９を確認する事ができる。各捲り可能領域６の表面情報７と裏面情報９は対応している方が望ましい。
さらに、捲り可能領域６を切り取る事により、クーポン券や、サービス券、応募券な
どに使用できる。
日付数字５とメモ書きなどに使える余白スペース１０を捲り可能領域６の中に設けてしまうと、捲り可能領域６を切取り後、日付数字５と余白スペース１０に書き込んだメモ書きが確認できなくなるため、日付数字５と余白スペース１０は捲り可能領域６内に設けない方が望ましが、必要に応じて捲り可能領域６内に日付数字５と余白スペース１０を設けても良い。また、捲り可能領域６を切り取った場合、開口部から翌月のカレンダーの捲り可能領域６に掲載されている翌月の情報１５が現れる為、外観を損なう事無くカレンダーを使用継続できる。ただし、最終月に関しては、翌月のカレンダー自体が無いため、捲り可能領域６を切取り後に開口部から現れる写真やメッセージをカレンダーの裏表紙に掲載しても良い。
【００２７】
図１３、図１４を参照して本発明の捲り式カレンダー１の捲り可能領域６に人物の顔写真を載せて使用した例の説明をする。
日付数字５の記載がある日付表示欄４ａの捲り可能領域６に３６５人又は閏年の年には３６６人の企業を代表する人物の顔写真とその人物が属す企業名と人物の名前又は芸名又は源氏名を掲載する。その際、誕生日又は企業の設立日又は記念日などの特別な日にその人物の写真を載せる方が望ましい。
顔写真を掲載した捲り可能領域６を手前側に捲り上げると、捲り可能領域６の裏面情報９が現れ、捲り可能領域６の表面情報７に記載の人物又は人物が属す企業に関する、プロフィール、説明、詳細、住所、連絡先、URL、この企業で使えるクーポン券の内容と有効期限、サービス券の内容と有効期限などの記載ができ、捲り可能領域６の表面と裏面の両面で広告ができる。
捲り可能領域６は必要であれば切取り、捲り可能領域６に記載された人物又は人物が属す企業に関する場所でクーポン券又はサービス券又は応募券として利用が出来る。
【００２８】
図１５、図１６を参照して本発明の捲り式カレンダー１の捲り可能領域６に学習用情報を載せて使用した例の説明をする。
日付数字５の記載がある日付表示欄４ａの捲り可能領域６に３６５個又は閏年の年には３６６個の学習用情報を記載する。今回は、英単語を１日１語覚える為の学習用情報で説明する。
図９でも説明した綴り用穴１４を備えた捲り可能領域６の表面情報７に英単語を記載する。必要に応じて、表面情報７にカタカナでの読み方や、発音記号を記載しても良い。
捲り可能領域６を捲り上げると、表面情報７に記載の英単語の意味が裏面情報９に記載されている。その捲り可能領域６を切取り、リングなどで綴ると単語暗記用カードとして、使用できる。
【００２９】
本発明の捲り式カレンダーに記載する表面情報と裏面情報の一例について説明する。
表面情報７には、広告、写真、店名、人物名、年齢、プロフィール、芸名、源氏名、絵、商品名、数字、なぞなぞ、雑学、クイズ、パズル、外国語の問題、算数の問題、数学の問題、歴史の問題、漢字の問題、理科の問題、漢字の成り立ち、脳トレーニングの問題、方言、トランプのマークと数字、格言、かるた、百人一首、短歌、詩、QRコード、URL、e-mailアドレス、電話番号、住所、世界地図、日本地図、などを記載することが可能。
裏面情報９には、広告、写真、なぞなぞの問題の解答、雑学の説明、クイズの問題の解答、パズルの問題の解答、外国語の問題の解答、外国語の問題の意味、算数の問題の解答、数学の問題の解答、歴史の問題の解答、漢字の問題の解答、理科の問題の解答、漢字の成り立ちの説明、脳トレーニングの問題の解答、方言の解説、格言の解説、短歌の解説、詩の解説、QRコード、URL、e-mailアドレス、電話番号、住所、国に関する情報、都道府県に関する情報、料理のレシピ、クーポン券の内容又は有効期限、サービス券の内容又は有効期限、応募券の内容又は有効期限などを記載することが可能。
表面情報７と裏面情報９は、各捲り可能領域６のそれぞれで対応している方が望ましい。
【産業上の利用可能性】
【００３０】
この発明の捲り式カレンダーは、吊下式に限らず卓上カレンダーを含む広く一般のカレンダーに適用する事ができ、また、カレンダーを無料で配布する事も可能である。
【符号の説明】
【００３１】
１    捲り式カレンダー
２    リング
３    曜日表示欄
４、４ａ  日付表示予定欄、日付表示欄
５    日付数字
６    捲り可能領域
７    表面情報
８、８ａ、８ｂ  広告スペース、複数日付表示予定欄結合広告スペース、捲り可能領域有りの広告スペース
９    裏面情報
１０  余白スペース
１１  ミシン目加工又はアンカット部
１２  切込み
１３  メモ書き欄
１４  綴り用穴
１５  翌月の情報
【図１】
2011178112.tif 000003
【図２】
2011178112.tif 000004
【図３】
2011178112.tif 000005
【図４】
2011178112.tif 000006
【図５】
2011178112.tif 000007
【図６】
2011178112.tif 000008
【図７】
2011178112.tif 000009
【図８】
2011178112.tif 000010
【図９】
2011178112.tif 000011
【図１０】
2011178112.tif 000012
【図１１】
2011178112.tif 000013
【図１２】
2011178112.tif 000014
【図１３】
2011178112.tif 000015
【図１４】
2011178112.tif 000016
【図１５】
2011178112.tif 000017
【図１６】
2011178112.tif 000018